Podtech/llm-jp-corpus-v4-ja_patent huggingface dataset:
(57)【要約】【課題】万人が持っており、色柄も豊富で肌触りがよいバスタオルをシートカバーとして使用する椅子の構造を提案する。【解決手段】前幕板（４）、後幕板（５）それぞれとの間にバスタオルを巻き込むための隙間を持たせた座面（１）と背もたれ兼折り返し板（２）、背もたれ兼押さえ板（３）を適当な位置に配置し、脚を兼ねたフレーム（６）で支える構造によって特別な器具や装着用具を用いること無くバスタオルを椅子のシートカバーとして使用する。【選択図】  図１
2005144089.tif 000002
【特許請求の範囲】
【請求項１】
前幕板（４）、後幕板（５）それぞれとの間にバスタオルを巻き込むため隙間をもたせた座面（１）と、背もたれ兼折り返し板（２）、背もたれ兼押さえ板（３）をそれぞれ脚を兼ねたフレーム（６）で支える構造によるバスタオルをシートカバーとして使用できる椅子。
【請求項２】
前幕板（４）、後幕板（５）それぞれとの間にバスタオルを巻き込むため隙間を持たせた座面（１）と、上部幅より下部幅を狭めた座面前端バスタオル巻き込み位置（７）、座面後端バスタオル折り返し位置（８）、背もたれ兼折り返し板（２）背もたれ兼押さえ板（３）をそれぞれ適当な位置に配置し、脚を兼ねたフレーム（６）で支える構造によって、結びヒモやマジックテープなど装着のために特別な器具や装着用具を用いること無くバスタオルを椅子のシートカバーとして使用する方法。
【発明の詳細な説明】
【技術分野】
【０００１】  本発明は万人がふだん使っているバスタオルを椅子のシートカバーとして使うことができる椅子に関するものである。
【背景技術】
【０００２】  従来の椅子にシートカバーを装着し使用する場合、シートカバーはその椅子の形に合せて作られた物のみが使用可能であった。
【発明の開示】
【発明が解決しようとする課題】
【０００３】従来の椅子にシートカバーを装着、使用するには次のような欠点があった。
イ、椅子にシートカバーを使用する場合、シートカバーはその椅子専用の形態をしており、高価なものであった。
ロ、専用のシートカバーは定型であり、色や柄などの種類にも制限があった。
ハ、専用のシートカバーの装着には結びヒモやファスナー、マジックテープ等の装着用具が必要であった。
ニ、汚れたシートカバーを洗濯する際には型くずれや縮みの予防など注意が必要だった。
【課題を解決するための手段】
【０００４】前幕板（４）、後幕板（５）それぞれとの間にバスタオルを巻き込むための隙間を持たせた座面（１）と、上部幅より下部幅を狭めた座面前端バスタオル巻き込み位置（７）座面後端バスタオル折り返し位置（８）、背もたれ兼折り返し板（２）背もたれ兼押さえ板（３）をそれぞれ適当な位置に配置し、脚を兼ねたフレーム（６）で支える構造にする。
【発明の効果】
【０００４】  本発明によって万人が持っており普段から使用しているバスタオルを結びヒモやマジックテープなどの装着用具を用いること無く、容易に着脱が可能な椅子のシートカバーとして利用することができる。
色や柄をその日の気分で取り替えられ、真夏の高温多湿の時期や真冬の座面が冷えて冷たくなる時期も保温性、吸湿性に優れたバスタオルの座面で年間を通して快適に使用することができる。
洗濯する際にも型くずれや縮みの心配をすること無く電気洗濯機で普段どおり洗濯することができる。
【発明を実施するための最良の形態】
【０００５】    以下本発明の実施の形態を説明する。
イ、前幕板（４）、後ろ幕板（５）それぞれとの間にバスタオルを巻き込むための隙間を    持たせた座面（１）を、脚を兼ねたフレーム（６）に固定する。座面前端バスタオル    巻き込み位置（７）は図４に見るように上部より下部の幅を狭めて作られており、下    部の方により多くバスタオルを巻き付けられるようにしている。
ロ、背もたれ兼押さえ板（３）を座面後端バスタオル折り返し位置（８）より上下方向で    上方に、前後方向で前方に配置して脚を兼ねたフレーム（６）に固定する。
ハ、背もたれ兼折り返し板（２）を背もたれ兼押さえ板（３）に対して上下方向で上方に    、前後方向で後方に、且つ座面後端バスタオル折り返し位置（８）に対しては前後方    向で前方に配置し、脚を兼ねたフレーム（６）に固定する。
本発明は以上の構成よりなっている。
【実施例１】
【０００６】本発明は次のような手順で使用する。
イ、装着しようとするバスタオルの長さ方向の片端、幅方向の左右を、座面前端バスタオル巻き込み位置（７）に巻き込む。
ロ、バスタオルの幅方向の左右端を座面（１）の下内側へ巻き込んで行き、座面後端バスタオル折り返し位置（８）において上下方向で上方へ、前後方向で前方へ折り返す。このとき座面下へ巻き込まれたバスタオルの左右端も同時に前方および上方へ折り返される。
ハ、前方および上方へ折り返したバスタオルをそのまま引き上げ背もたれ兼折り返し板（２）に接触させたところで前後方向の後方、上下方向で下方へ折り返す。
ニ、下方へ折り返したバスタオルの長さ方向の端を背もたれ兼押さえ板（３）の前後方向で前方、上下方向で下方へ向けて通し、バスタオルの装着を終了する。
以上の装着方法により、結びヒモやマジックテープ等特別な装着用具を使用すること無くバスタオルをシートカバーとして椅子に装着することができる。
【図面の簡単な説明】
【０００７】
【図１】本発明の側面前方からの斜視図である。
【図２】本発明の側面後方からの斜視図である。
【図３】平面図である
【図４】正面図である
【図５】Ａ−Ａ’側断面図である。
【図６】本発明実施例の側面前方からの斜視図である。
【図７】本発明実施例の側面後方からの斜視図である。
【符号の説明】
【０００８】１  座面
２  背もたれ兼折り返し板
３  背もたれ兼押さえ板
４  前幕板
５  後幕板
６  脚を兼ねたフレーム
７  座面前端バスタオル巻き込み位置
８  座面後端バスタオル巻き込み位置
９  バスタオル
【図１】
2005144089.tif 000003
【図２】
2005144089.tif 000004
【図３】
2005144089.tif 000005
【図４】
2005144089.tif 000006
【図５】
2005144089.tif 000007
【図６】
2005144089.tif 000008
【図７】
2005144089.tif 000009
(57)【要約】【課題】カットした部分がトイレットペーパー本体から剥がれやすい機能を持たせたペーパーホルダーを提供する。【解決手段】ペーパーホルダー（Ａ）の上蓋（１）にローラー（２）とガイド（３）を設けたことを特徴とする。【選択図】図１
2005144087.tif 000002
【特許請求の範囲】
【請求項１】
ペーパーホルダー（Ａ）の上蓋（１）にローラー（２）とトイレットペーパーのカットした部分の付着を剥がすガイド（３）を設けたペーパーホルダー。
【発明の詳細な説明】
【発明の詳細な説明】
【技術分野】
【０００１】この発明は、トイレットペーパーを使用する際にペーパーホルダー上蓋に取付けたローラーによって回転したトイレットペーパーをガイドによって、カット部分の付着を剥がす機能をもたせたペーパーホルダーに関するものである。
【背景技術】
【０００２】従来、トイレットペーパーを使用する際にカットした部分が本体からなかなか剥がれにくい為に、何度もトイレットペーパーを回して面倒であった。
【発明が解決しようとする課題】
【０００３】そのために、次のような欠点があった。
トイレットペーパーのカットした部分が本体から剥がれにくい為に一度に必要上に取り込みトイレットペーパーを無駄にしていた。
本発明は、この欠点を解決するためになされたものである。
【課題を解決するための手段】
【０００４】  ペーパーホルダー（Ａ）の上蓋（１）にローラー（２）とガイド（３）を設ける。
本発明は、以上の構成からなるローラーとガイド付ペーパーホルダーである。
【発明を実施するための最良の形態】
【０００５】以下の、本発明の実施の形態について説明する。
（イ）  ペーパーホルダー（Ａ）の上蓋（１）にローラー（２）を取付ける．
（ロ）  ローラー（２）は、常にトイレットペーパーの上部に接している。
（ハ）  手の平で、ローラー（２）を押さえ壁面に押す事によりトイレットペーパーは手前に回転しガイド（３）によりトイレットペーパーのカット部分が本体より外れる。
（ニ）  後は必要に応じて、従来通りトイレットペーパーを引きカットし使用すればよい。
【発明の効果】
【０００６】蓋を上げてトイレットペーパーを回転さしてカット部分を探す無駄な動作が無くなり使用したい長さだけ何度も簡単にカットして使用できるので、トイレットペーパーの無駄な長さの節約になる。
【図面の簡単な説明】
【図１】本発明の斜視図
【図２】本発明の要部断面図
【符号の説明】
（Ａ）  ペーパーホルダー本体
（１）  上蓋
（２）  ローラー
（３）  ガイド
【図１】
2005144087.tif 000003
【図２】
2005144087.tif 000004
(57)【要約】      （修正有）【課題】使用していないときの傘の携帯を容易にするためのストラップを提供する。【解決手段】傘を使用しない時、吊り下げ部２の端に、閉じている傘の下部を支える為の多種材質による止め具または、輪３を設けたものを、ストッパー４付の多種材質、多種形状によるリール本体５に収納し、傘の柄もしくはその周辺に固定。あるいは、装着部１を設け、既存の傘の柄もしくはその周辺に後付けし、傘の携帯を容易にするものである。【選択図】図２
2005144061.tif 000002
【特許請求の範囲】
【請求項１】
吊り下げ部（２）の片端に、閉じている傘の下部を支えるための取り外し可能な止め
具または輪（３）を設けたものを、伸縮自在にする為にストッパー（４）付きリール本体
（５）に収納し、ストッパー（４）付きリール本体（５）を傘の柄もしくはその周辺に取
り付けるための装着部（１）等を設け固定し、傘の携帯を容易にする傘のストラップ。
【発明の詳細な説明】
【技術分野】
【０００１】
本発明は、既存の傘にストラップを取り付け、使用していないときの傘の携帯を容
易にする為の付属品に関するものである。
【背景技術】
【０００２】
従来、使用していないときの傘の携帯は折りたたみ傘を除いては、傘の柄や布部
分を持つ為、片手がふさがり、さらに、傘の先端部分が地面につかないようにひじ
を曲げるため、子供を抱いているときや、荷物が多いときなど、大変わずらわしい
ものであった。また、吊り下げ部（２）が短いと持ち運びの際、傘が不安定になっ
てしまった。
【０００３】
【特許文献１】特開２００３−２３０４１５号  広報
【発明の開示】
【発明が解決しようとする課題】
【０００４】
１． 使用していない時の傘を肩及び身体から提げることができず両手が自由に使えな
い点。
２． 既存の傘に後付け出来る品物（ストラップ）が無かった点。
３． 吊り下げ部（２）を収納することが出来なかった点。
４． 吊り下げ部（２）の長さ調整がわずらわしかった点。
【課題を解決するための手段】
【０００５】
傘の柄またはその周辺に、吊り下げ部（２）を収納したリール本体（５）に装着部を設
け固定または、吊り下げ部を内蔵し、吊り下げ部（２）の端には傘の下部を支えるため
の止め具または輪（３）を設ける
【発明を実施するための最良の形態】
【０００６】
１． 収納された吊り下げ部（２）を引き出し、すぐに傘を携帯することができる。
２． 傘を携帯するとき、肩や身体からかけるので安定が良く両手が自由になる。
３． 吊り下げ部を必要としないときは、すぐに収納できるので邪魔にならない。
４． 傘の下部を支えるための止め具または輪を、多種サイズに交換可能なため多様な傘
に装着可能。
【実施例１】
【０００７】
本発明の実施例を述べると以下のようになる。
１． 多種材質による吊り下げ部（２）を収納する多種形状、多種大きさのストッパー
（４）付きのリール本体（５）を、傘の柄またはその周辺に固定、または取り外しの
できるようなマジックテープ等、多種材質による装着部（１）を設け固定。
２． 吊り下げ部（２）の端には止め具または輪（３）を設け、使用していない傘の下部
を支えることが出来るまで通す、または安定するまで差し込む。
３． 携帯しやすい長さになるよう吊り下げ部（３）を調整し、ストッパー（４）にて止める。
４． 吊り下げ部（２）を肩や身体にかけて、使用していないときの傘の携帯を容易にする。
５． 吊り下げ部（２）を使用しないときは、止め具または輪（３）を傘の下部より抜き
取りストッパー（４）を解除し収納する。
【図面の簡単な説明】
【０００８】
【図１】傘ストラップ本体を示した説明図である。
【図２】傘ストラップの実施方法を示した説明図である。
【符号の説明】
【０００９】
（１）  装着部
（２）  吊り下げ部
（３）  止め具または輪
（４）  ストッパー
（５）  リール
（６）  ホックまたは止め具
【図１】
2005144061.tif 000003
【図２】
2005144061.tif 000004
(57)【要約】【課題】  この発明は、ブラシのブリッスル部に枝ブリッスル並びに小枝ブリッスル様に加工して設けることにより、先端のブリッスルが曲がっても、枝ブリッスルと小枝ブリッスル先端が面にあたるので、磨かれる接地面も多くなり、細い隙間にある歯石除去も可能となった。また、毛のブラッシングにも適用できる装置に関するものである。【解決手段】  加工段階でブリッスル部（２）に枝ブリッスル（３）や枝ブリッスル（４）を接合した後、ブラシ台（１）へ垂直に埋め込む構造とし、細かい隙間にも入り込めるブラシとした。なお、使用する目的によって枝ブリッスル（３）のみでも良く、また、枝ブリッスル（３）並びに枝ブリッスル（４）角度を上下、水平に加工する事により、細かい毛まで取り除く事ができる構造とした。【選択図】図１
2005144100.tif 000002
【特許請求の範囲】
【請求項１】
ブラシのブリッスル部（２）を、枝ブリッスル（３）や小枝ブリッスル（４）の形状にすることにより、ブラシ機能を兼備させたことを特徴とするブラシ。
【請求項２】
ブラシのブリッスル部（２）に、枝ブリッスルや（３）、小枝ブリッスル（４）を付け、各ブリッスル角度を平行、上向き、下向きの形状とした構造であることを特徴とする請求項１記載のブラシ。
【発明の詳細な説明】
【発明の詳細な説明】
【技術分野】
【０００１】  この発明は、ブラシのブリッスル部（２）の形状を木の枝のように枝ブリッスル（３）、小枝ブリッスル（４）の如く多数の枝を設ける事で、歯並びに歯間に附着している歯垢除去や、毛のブラッシング効果を高めることができる装置に関するものである。
【背景技術】
【０００２】  従来のブラシでは、ブラシ台（１）にブリッスル部が１本１本垂直（２）に植えられていのみで、細かな隙間にある異物の除去が難しかった。また、ブラシを強く押す事でブリッスル先端が曲がり、細かな間にある除去物の掻き出しができなかった。また、長期間使用するとブリッスル先端が折れ曲がり、歯をよく磨かくことができなかった。また、頭髪や動物の毛をブラシシングする際ブラシ効果があまり向上しなかった。
【発明が解決しようとする課題】
【０００３】  したがって、以上の従来技術によれば、ブラシ台（１）に多数のブリッスル（２）を埋め込まなくては、磨く効果や細い隙間の除去はできなかった。
本発明は、こうした使用側からの強い要望にこたえるために発明されたものである。
【課題を解決するための手段】
【０００４】  以上の課題を解決するために、請求項１の発明は、１本のブリッスル部（２）から複数の枝ブリッスル（３）、小枝ブリッスル（４）を設け、ブラシ台（１）に埋め込むことを特徴とするブラシである。
【発明実施の形態】
【０００５】  次に本発明の実施の形態を述べると、全体構造として、ブラシ台（１）にブリッスル（２）を埋め込むが、枝ブリッスルの角度は、下や上或いは水平に加工可能であり、使用する目的によっては枝ブリッスルの形状は異なる。
ブリッスル先端（５）は磨こうとする面に常に接しており、先端が曲がってしまうと細い隙間にブリッスル（２）の先端（５）が入り込めなく除去できなかった。また、長期間使用するとそのブリッスル先端（５）はすり減ったり、折れ曲がったり（６）した。
本発明では、ブリッスル部に枝ブリッスル（３）、小枝ブリッスル（４）を設けたことで、ブリッスル先端（５）が折れ曲がっても、次にある枝ブリッスル（３）と小枝ブリッスル（４）の先端によって、その目的を果たすことが可能となった。また、本特許製品を歯ブラシとして使う際は、枝ブリッスル（３）や小枝ブリッスル（４）を内側（片側）のみに配置することにより、口内にキズをつけることなく磨くことが出来る。なお、枝ブリッスル（３）や小枝ブリッスル（４）を設けたことで、以前より少ないブリッスル本数で高い効果が期待できる。また、枝ブリッスル（３）と小枝ブリッスル（４）の角度を変える事によって、短い毛はブリッスルに絡まり容易に除去できる。
【実地形態の効果】
【０００６】  以上説明したように、この発明によれば、ブリッスル部（２）に枝ブリッスル（３）、小枝ブリッスル（４）を設けたので、従来のようにブリッスル束を多く植え付けなくても、歯垢除去或いは頭髪ブラッシング効果は高まる。
【他の実地形態】
【０００７】  実地形態では、枝ブリッスル（３）並びに小枝ブリッスル（４）の角度は上向き、下向き、水平と形状は変えることができ、また、ブリッスル先端（５）は細くする事も丸くすることも可能である。また、材質は金属や石油化学製品からでも形成できる。
【発明の効果】
【０００８】  以上説明したように、この発明によれば、ブリッスル部（２）に枝ブリッスル（３）、小枝ブリッスル（４）を設けたことにより、各ブリッスルは細かい隙間にも入り込む事ができ、且つ、どんな形状の面でもキレイに磨き或いは異物を除去する事が出来、従来のブラシと異なる技術的効果が得られた。
【図面の簡単な説明】
【図１】この発明の実施形態を示す斜視図である。
【図２】この発明の使用斜視図である。
【図３】この発明の使用斜視図である。
【図４】従来技術を示す斜視図である。
【符号の説明】
１はブラシ台
２はブリッスル部
３は枝ブリッスル
４は小枝ブリッスル
５はブリッスル先端
６は折れ曲がったり
【図１】
2005144100.tif 000003
【図２】
2005144100.tif 000004
【図３】
2005144100.tif 000005
【図４】
2005144100.tif 000006
(57)【要約】【課題】遠くや溝の底のゴミ、物を柄の長さで容易につかめる様にする。ビン、カンすべってつかみ難い物等つかみ易くする。【解決手段】図の柄、Ａの長さを長くする。図の柄、Ａの先にスベリ止めＢを付ける。【選択図】  図１
2005144097.tif 000002
【特許請求の範囲】
【請求項１】
市販の火はさみを長くして（８０ｃｍ以上）ゴミつかみ、物つかみとする。
【請求項２】
ゴミつかみ、物つかみの先の方にゴム材等、スベリ止め材、つかみ易い材質を装着する。
【発明の詳細な説明】
【技術分野】
【０００１】  本発明は市販の火はさみを長くつくり、先にスベリ止めを付けゴミ拾い物つかみに使用する。
【背景技術】
【０００２】  道路、公園等でビン、カン、ペットボトル、タバコ等ごみ拾いに市販の火はさみを使用、ビン等はすべって、つかみにくく溝の底はしゃがみ込んで拾うなど腰に負担が掛っていた。
【発明の開示】
【発明が解決しようとする課題】
【０００３】  火はさみは柄が短く腰を屈めてゴミを拾っている。ビン、カン、ペットボトル等拾う時、すべり落ちる事がある。
【課題を解決するための手段】
【０００４】  市販の火はさみの長さを長く作る。成人が腰を屈めなくてゴ、ミ物を拾える。ゴミ、物をつかむ所にスベリ止め材をつける。
【発明の効果】
【０００５】  このようにすれば、腰を屈めず、腰を痛めずゴミ、物がつかめる。またビン等すべらず容易に拾える。
【発明を実施するための最良の形態】
【０００６】    本発明は、火はさみの柄Ａを長く作り、柄Ａの先にスベリ止めＢを付けゴミつかみ、物つかみを使い易くしたゴミつかみ、物つかみである。
【図面の簡単な説明】
【０００７】  図は正面図と側面図である。柄Ａの長さを９０ｃｍくらいとする。柄Ａの先の方１０ｃｍくらい、つかむ面、両方装着する。一番先Ｃは鋼を出し小さい物がつかめるようにする。
【符号の説明】
【０００８】  Ａは鋼製ゴミつかみ、物つかみ
Ｂはスベリ止め材
Ｃは鋼製ゴミつかみ、物つかみ先端
【図１】
2005144097.tif 000003
(57)【要約】【課題】この装置は、誰でも手軽に持ち運びが出来て、寝たきりの人、半身不随の人、怪我人や病人、お年寄り等の要介護者を何処ででも手軽に洗髪することができ且つ、介護者の負担を軽減する洗髪装置を開発提供することにある。【解決手段】本発明の装置は、上記の問題を解決する為に洗髪装置、髪を洗うときに使用するシンク、髪を濯ぐ時の汚水を貯める汚水タンク、水を温めて適温に保ち貯めておく清水タンク、等をケースの中に形成して収めコンパクトにし、清水タンクの下部にはニクロム線等の発熱体を敷設し、発熱体の先端部には給電コードと温度コントローラーを設け且つポンプを備え髪を濯ぐ為お湯を噴射出来るシャワー等を装着、又髪を洗う為に体を凭れさす背凭れをも装備し、持ち運びを容易にする為にケース上部に取手を取り付け、下面にはキャスターを取り付ける事により誰で手軽に持ち運びが出来るようにして、何処ででもどんな状態の人でも簡単に洗髪が出来る様にした。【選択図】図１
2005144094.tif 000002
【特許請求の範囲】
【請求項１】
装置本体ケースは運搬が手軽に出来る様に取手、キャリー等を装着し、該ケースは髪を洗う時に使用するシンク、髪を濯ぐ時の汚水を貯める汚水タンク、水を温めて適温に保ち貯めておく清水タンク、からなり、何れのタンクも脱着が可能で１．髪を洗う時に使用するシンク、髪を濯ぐ時の汚水を貯める汚水タンク、を収納している洗髪ボックス  ２．水を温めて適温に保ち貯めておく、清水タンクを収納している、清水ボックス部、の二つのボックスからなっているので２つに分離、合体して使用する事が容易に出来、且つポンプを備え髪を濯ぐためお湯や水を噴射できるシャワー等を装着したことを特徴とし、部材はプラスチック、金属等で形成されている洗髪装置。
【請求項２】
水を温め適温に保ち貯めておく清水タンクの下部にはニクロム線等の発熱体を敷設し、発熱体の先端部には、給電コードと温度コントローラーを設けたことを特徴とする、請求項１記載の洗髪装置。
【請求項３】
布団、ベッドに寝たまま、又如何様な状態ででも髪を容易に洗う事が出来る様に、洗髪装置本体の前壁に人体を凭れさせ洗髪することが出来る背凭れを装備しており、又背凭れを広げ人体を背もたれに寝さす事により、仰向けに寝たまま簡単に洗髪できる、洗髪措置。
【発明の詳細な説明】
【技術分野】
【０００１】  本発明は装置本体が軽量で誰ででも簡単に持ち運びが出来、何処ででも、又寝たきりの人等、如何様な状態の人でも簡単に洗髪使用出来る、洗髪装置に関するものである。
【背景技術】
【０００２】  洗髪する場合は、入浴時に洗髪するか、若しくは固定された特定の場所が必要で、その特定の場所に行き洗髪するか、又病人、怪我人、要介護者は、介護者に抱えられて運んでもらい無理な体勢で洗髪するしか方法がなかった。
【発明の開示】
【発明が解決しようとする課題】
【０００３】  そこでこの発明は、誰でも簡単に手軽に何処にでも持ち運びが出来、要介護者が如何様な状態ででも、簡単に使用でき周りを濡らす事無く、且つ要介護者及び介護者の体力を消耗させること無く洗髪できる、洗髪装置を開発提供することにある。
【課題を解決するための手段】
【０００４】  上記問題点を解決するために洗髪装置をケース型に形成し、ケースの中に、シンク、清水タンク、汚水タンク、ポンプ、シャワー、等、を内装し装置の前壁に背凭れを設置し、且つ持ち運びを容易にする為に、取手、下部面にはキャスターを取り付ける事により誰でも持ち運びができ何処ででも簡単に使用できるようにした洗髪装置。
【発明の効果】
【０００５】  本発明の洗髪装置は取手、キャスターを設けている為運搬が楽にでき、怪我人、病人、寝たきりの人等  要介護者の寝て居るその場所へ出向き要介護者の体力を損なう事無く洗髪が出来る、又洗髪が楽に出来るために介護する人の強力な手助けとなる。
【発明を実施するための最良の形態】
【０００６】  この発明の洗髪装置本体は、縦横幅の所定の寸法を有し、本体の中上部に髪を洗う時に使用するシンク、中段に髪を濯ぐ時汚水を貯める汚水タンク、下段に水を温め適温で貯めておく清水タンク、そしてポンプ、シャワー等をも組み込んでおり、全ての部品構成は、プラスチック、ゴム、金属等で形成された矩形のケースで、簡単に何処にでも持ち運び出来、即洗髪可能な機能を有する事を実現した。【０００７】  又これらの各装置部品は単独で脱着が容易で奇麗に洗い清潔に保つ事が出来る。
【実施例１】
【０００８】  図１は、本発明装置の実施例の側面図であって（Ａ）は椅子に掛け背もたれに凭れ本装置を使用して洗髪している図で、（Ｂ）は洗髪装置を分離して使用し、布団上にいる状態で背もたれに仰向けに寝て洗髪している図である。【０００９】  図２は本発明の洗髪装置の構成図で  水を温め適温で貯めておく清水タンクを収納している清水ボックス（１）、髪を洗う時に使用するシンク、髪を濯ぐ時の汚水を貯める汚水タンク、を収納している洗髪ボックス（２）、この二つのボックスから構成されている。【００１０】  清水ボックスの底面には、水を適温に温め保温する為に保温装置を装着し、該保温装置はニクロム線等の発熱体を絶縁体で被装して全面をプラスチック、又は金属等の防水材の中に整設し、且つ、発熱帯の先端部には、給電用のコードと温度コントローラーを装着している。【００１１】  又、清水ボックスの側面には、お湯、水をシャワー等へ送り出すポンプを設置しており、ポンプ、シャワーに付いているスイッチを押す事によりお湯をシャワー口より噴出させることが出来、髪を湿らしたり濯いだり、又人体等に使用できる。【００１２】  洗髪ボックスは  シンク、汚水タンク、が内装され前面には脱着、開閉、伸縮、可能な背凭れを装着しており、その背凭れに人体が凭たれ、仰向けに寝ながらの洗髪もできる。【００１３】  又シンクを内装しているので汚水が回りに飛び散ることもなく、汚水は汚水タンクへ溜まる。溜まった汚水は作業の終了後にでも、タンクを持ち運び廃棄する。【００１４】  これらの装置部品は、簡単に取り外して洗い清潔に保つ事が出来る。
【産業上の利用可能性】
【００１５】  何処にでも運ぶことが出来、簡単に誰でも使用でき、どのような状態の人でも洗髪出来る。
【図面の簡単な説明】
【００１６】
【図１】洗髪装置の実施方法を示した説明図である。（実施例１）
【図２】洗髪装置の構成図で  清水ボックス、洗髪ボックス、の二つのボックスから構成される。（実施例１）
【符号の説明】
【００１７】  １  シンク
２  清水タンク
３  汚水タンク
４  シャワーホース口
５  給水ホース口
６  シャワーホース
７  給電コード
８  ポンプ
９  温度コントローラー
１０  背もたれ
１１  発熱体
１２  キャスター
１３  取手
１４  人体
Ａ  清水ボックス
Ｂ  洗髪ボックス
α  装置の高さ
【図１】
2005144094.tif 000003
【図２】
2005144094.tif 000004
(57)【要約】［課題］  ２本のスプーン形状に、ばね局面部をセットしてトング形態となる八丁トングを提供する。［解決手段］  ２本のスプーン形状の受け部先から中程にぎざ波形を刻み、柄部に鞘部を設け、ばね局面部を作り、鞘部に差し込むことにより、トング形態となることを特徴とする八丁トング。【選択図】図４
2005144099.tif 000002
【特許請求の範囲】
【請求項１】
２本のスプーン形状受け部先より中程の縁に、ぎざ波形を刻み、柄部の中程より上部に鞘部を設ける。
【請求項２】
ばね局面部を作り、鞘部上部より差込む仕組みにしたことを特徴とする八丁トング。
【発明の詳細な説明】
【０００１】  本発明は、２本のスプーン形状に鞘部を設け、ばね局面部を着脱させながら使用する八丁トングに関するものである。［背景技術］
【０００２】  従来、トングとして挟み取り分ける用具であった。［発明の開示］［発明が解決しようとする課題］
【０００３】そのために、次のような問題点があった。（イ）挟む用具として重宝するものであるが、挟む機能を利用しながらもっと使用範囲が広がると重宝することもある。（ロ）野外料理に、前歯に不自由を感じる人叉、大口を開けることに躊躇する人にとっても、気ままに使える用具があっても良いのではないか。  本発明は、これらの問題を解決するためになされたものである。［課題を解決するための手段］
【０００４】  ２本のスプーン形状の先端から中程の縁は、ぎざ波を刻む。柄部中程上部に鞘部を設ける。ばね局面部を作り、鞘部の上部より差し込むことによりトング形状になり、差込離脱が自由に行える仕組みにする。以上を特徴とする八丁トングである。［発明の効果］
【０００５】フルーツ等の丸齧り作用、分厚いもの、硬いものを千切る。ばね局面部をはずせばナイフ・ホーク・スプーンの代わりにもなる。
【０００６】  以下、本発明の実施について説明する。  （イ）スプーン形状柄部（１）の裏（２）は鞘部（３）はぎざ波刻み  （ロ）（４）は２本目柄部（５）はカット形ぎざ波刻み（６）は（４）の裏  （ハ）（７）はばね局面部（８）は局面部突出部［実施例１］
【０００７】図１と図２の鞘部２本に図３のばね局面部を差し込むことで、トング形態になる。ばね局面部上部を、手のひらで押さえまわしながら、りんご等丸かじりに代わる機能をもたせることができる。ばね局面部をはずすことで、ナイフ・ホーク・スプーンとしても利用できる。
【図面の簡単な説明】
【０００８】
【図１】本発明の（イ）表と裏
【図２】本発明の（ロ）表と裏
【図３】本発明のばね局面図
【図４】本発明のトング形態
【符号の説明】
【０００９】  １  （イ）の柄部表  ２  （イ）の柄部裏  ３  （イ）のぎざ波形  ４  （ロ）の柄部表  ５  （ロ）のカットぎざ波形  ６  （ロ）の裏  ７  ばね局面部  ８  局面部突出部
【図１】
2005144099.tif 000003
【図２】
2005144099.tif 000004
【図３】
2005144099.tif 000005
【図４】
2005144099.tif 000006
(57)【要約】      （修正有）【課題】安価でしかも軽量の長期荷重の経時において曲げたわみ性に優れた合成樹脂製棚板を提供する。【解決手段】補強体６を装着するための開口部１１と、該開口部と他端中空部１３とを開口路１２にて連結形成した中空孔５を少なくとも一つ以上設けた合成樹脂製補強桟の該中空孔に厚さ（ｔ）と高さ（ｈ）との形状比率（ｔ／ｈ）が０．２未満である補強体を間挿してなることを特徴とする。【選択図】図３
2005144118.tif 000002
【特許請求の範囲】
【請求項１】
補強体を装着するための開口部と、該開口部と他端中空部とを開口路にて連結形成した中空孔を少なくとも一つ以上設けた合成樹脂製中空補強桟の該中空孔に、厚さ（ｔ）と高さ（ｈ）との形状比率（ｔ／ｈ）が０．２未満である補強体を間挿してなることを特徴とする合成樹脂製棚板。
【発明の詳細な説明】
【発明の詳細な説明】
【産業上の利用分野】
【０００１】本発明は、家具、洗面化粧台等の収納設備に用いる合成樹脂製棚板に関する。
【背景技術】
【０００２】従来、収納設備における棚板としては、ムク材、合板，パーチクルボードを用いた木質系棚板が用いられていたが、高価であるばかりではなく重いという欠点がある。【０００３】最近にいたり、合成樹脂製棚板が提案されているが、この棚板は軽量化が図られしかも安価である長所は有するものの長期荷重の経時における曲げ撓みが進行し、最終的に棚板がダボからはずれ落ちるという問題がある。仮に棚板自体を厚く、また樹脂厚を厚くすることにより、前記問題は解決するものの価格が高くしかも重くなってしまう欠点が散在していた。
【先行技術】
【０００４】
【特許文献１】特許第２９１６８７５号    株式会社ノダ  合成樹脂製棚板  特開平８−１０３３４０号（平成８年４月２３日  出願公開）
【特許文献２】特許第２９９０６４４３号    南部化成株式会社  合成樹脂製中空補強板及びそれに用いる補強材  特開平８−７２１６２号（平成８年３月１９日出願公開）
【従来技術の欠点】
【０００５】特許文献１は、合成樹脂製棚板の中空孔に該中空孔の断面が同一である補強材を挿入して曲げ撓み性を向上せしめる技術であり特許文献２は、中空孔の幅（ｔ）がその高さ（ｈ）の１．５倍以上であり又上下左右の一面が開放されている補強体を中空孔に間挿する技術である。
【０００６】前者の棚板は、長期荷重時における曲げ撓みの発生が著しく、後者の棚板の場合は後者の棚板の場合は、中空桟の中空孔に挿入する補強材の担荷重が大きく、生産コストが高い欠点がある。
【発明の目的】
【０００７】本発明の目的は、軽量で然も長期荷重時における曲げ撓みの発生が少ない棚板の提供を目的とする。
【発明の構成】
【０００８】補強体を装着するための開口部と、該開口部と他端開口部とを開口路にて連結形成した中空孔を少なくとも一つ以上設けた合成樹脂製中空補強桟の中空孔に、厚さ（ｔ）と高さ（ｈ）との形状比率（ｔ／ｈ）が０．２未満である補強体を間挿してなることを特徴とする合成樹脂製棚板である。以下、本発明の内容を詳細に説明する。
【０００９】本発明における合成樹脂製棚板は、該棚板を構成する上板、下板及び側板並びに複数の中空孔を形成した合成樹脂製補強桟、係る補強桟の中空孔に挿入する補強体から構成される。
【００１１】図１は、本発明による合成樹脂製棚板の斜視図を示している。上板１、下板２の間に間挿される合成樹脂製中空補強板は、ポリ塩化ビニール樹脂（ＰＶＣ）、アクリル、ポリカーボネート（ＰＣ）、ポリエチレンテレフタレート（ＰＥＴＰ）、ＡＢＳ、等の樹脂を原料とし、これを押出成型にて長尺板材として、あとで任意幅に切断する。
【００１２】図２は、本発明による合成樹脂製棚板の曲げ撓み性を向上せしめるのに用いる合成樹脂製中空補強桟の横断面図である。
本発明において用いる補強桟４は、補強体６を装着するために用いる開口部１１と、該開口部１１と他端中空部１３とを開口路１２にて形成した中空孔６を少なくとも一つ以上設けいる。
【００１２】上記連結成形してなる中空孔６は図２にて示すように、補強体６を装着するために用い，開口部１１との連結開口路以外は全面塞がっている。その中空孔６の態様について説明すると、前記開口部１１を右か左に，設けてなる中空孔か、左右両方に開口部１１を設ける場合がある。
【００１３】前記、中空孔６の開口部１１は少なくとも、厚みが５ｍｍ以下の後記補強体が装着可能な中空部であることが好ましい。
【００１４】図３は前記した補強体の斜視図である。補強体としては、アルミニウム、鉄、スチール、ステンレス等金属材料が用いられる。特にアルミニウムは、軽量であるにも拘わらずヤング係数が大きいので有利である。
【００１５】次ぎに、補強体の形状について説明すると、該補強体の高さ（ｈ）とその厚み（ｔ）との形状比率（ｈ／ｔ）が０．２未満であることが好ましい。この比率が０．２を超えると棚板の重量がで大きくなるのでコスト的に不利である。
【００１６】本発明による棚板は、ＪＩＳ  １２００に規定する曲げ撓み性測定法により測定した荷重１５ｋｇにおける曲げ撓み量は５ｍｍ以下となり、これは、従来棚板製品の場合の２／３以下と小さくなる。
【００１７】本発明は片端固定梁の応用として考慮する場合、梁に架かる曲げモーメントは、下記の式にて判断することができる。即ち、
τ＝ＷＬ  ／  ＥＡ
ここで、τ＝梁の曲げ撓み量（ｃｍ）Ｗ＝梁に架かる荷重（ｋｇ／ｃｍ２）Ｅ＝ヤング係数（ｋｇｆ／ｃｍ２）Ｌ＝固定壁から荷重点までの距離（ｃｍ）Ａ＝梁の断面積（ｃｍ２）である。
ここで重要なことは、補強材の密度を考慮したそのヤング係数（εｄ）の大きな材料の選定とその材料の断面積を大きくすることによって．軽量でしかも曲げ撓み性の大きな棚板を得ることが可能である。
【発明の効果】
本発明による合成樹脂製棚板は、合成樹脂製中空補強板の中空孔に薄補強材を装着するために、軽量で然も剛性に優れた、長期荷重により曲げ撓みの少ない棚板が期待できる。又、上記したように補強材の担荷重が小さくなるので生産コストの低減も可能である。
【図面の簡単な説明】
【図１】本発明の合成樹脂製棚板に用いる補強体の斜視図である。
【図２】本発明の合成樹脂製棚板に用いる合成樹脂製中空補強桟の正面図である。
【図３】本発明の合成樹脂製棚板に用いる中空補強桟の中空孔に間挿した補強体の状態図である。
【符合の説明】
１：上板  ２：下板  ３：側板  ４：中空補強桟  ５：中空孔  ６：補強体
７：棚板  ８：ダボ孔  ９：補強体高さ（ｈ）  １０：補強体厚み（ｔ）
１１：補強体挿入部  １２：開口路  １３：他端中空部
【図１】
2005144118.tif 000003
【図２】
2005144118.tif 000004
【図３】
2005144118.tif 000005
(57)【要約】（課題）この発明は、カバンの底面に生地をドットボタンで取り付け、傘を固定させるものである。（解決手段）カバンの底面（１）に傘留めの生地（２）を取り付け、その際にこの傘留めの生地（２）をドットボタン（３）で留め、傘を固定する。【選択図】図３
2005144116.tif 000002
【特許請求の範囲】
【請求項１】
カバンの底面に布をドットボタンで取り付け傘を固定させるの。
【発明の詳細な説明】
【発明の詳細な説明】
この発明は傘を固定する布をカバンの底面に取り付け傘立てにしたものである。
通常、雨の日、電車での通勤時で座席に座っている場合、傘が邪魔になり片手又は両手が使えなくなり、本を読んだり出来ない、又は居眠りをした場合、傘が手から離してしまう事もあり、不快な思いをしている人をよく見かける。
本発明はその不快な状態を解決したものである。以下それを説明すると、
（イ）カバンと同じ質感、色の生地をカバンの底面に合うように切断する。
（ロ）その生地の四隅とカバンのそれに合う四箇所にドットボタンを取り付ける。
（ハ）更に傘を付けた時に留める場所にドットボタンを取り付ける。
こうする事により未使用時は凹凸が無く邪魔にならず、使用時は傘を留めて立てられて手で傘をずっと持つことなく、雨の日の不快な問題が解決される。
【図面の簡単な説明】
【図１】本発明カバンの底面図
【図２】本発明のカバンの底面と傘留めの生地との接地面の構成
【図３】本発明カバンの底面に傘を固定させた図
【符号の説明】
１はカバンの底面    ２は傘留めの生地    ３ドットボタン
【図１】
2005144116.tif 000003
【図２】
2005144116.tif 000004
【図３】
2005144116.tif 000005
(57)【要約】      （修正有）【課題】家の中を履いて歩くだけで床のほこりを吸着するスリッパを提供する。【解決手段】スリッパの底材３に止め具２を４ヶ所設け、市販のほこり吸着シート１を装着する。【効果】イ）無意識に床の清掃をしていることになるので、掃除機を掛けるときに使用すれば清掃効率がよくなる。ロ）ほこり吸着シートは、よごれたら簡単に取り替えられるので衛生的、また裏側もつかえて経済的である。ハ）片足ずつ横に滑らせると誇りの吸着効率が良く、足の運動になる。【選択図】図２
2005144111.tif 000002
【特許請求の範囲】
【請求項１】
市販のほこり吸着シート（１）をスリッパの止め具（２）に指先で押し込み固定させる、ほこり吸着シートを装着できるスリッパ。
【発明の詳細な説明】
【発明の詳細な説明】
【産業上の利用分野】
【０００１】  この発明は、家の中を履いて歩くだけで床の掃除ができる様ほこり吸着シートを装着できるスリッパに関するものである。
【背景技術】
【０００２】  従来よりスリッパの底に木綿製のモップが取り付けられた物がある。
【発明が解決しようとする課題】
【０００３】イ．ほこりが付くと汚れが目立つ。
ロ．汚れる度に洗剤で洗わなければならないので煩わしい。
ハ．モップが付いてる為、足の裏に違和感がある。
【課題を解決するための手段】
【０００４】  スリッパの底材（３）に４個の軟質樹脂製の止め具（２）を取り付けたものである。
【作用】
【０００５】  市販のほこり吸着シートの中央に上記のスリッパを置き、吸着シートの四隅をスリッパの止め具に指で押し込み固定する。
【実施例】
【０００６】  以下、本発明の実施例について説明する。
スリッパの底材（３）に４ヶ所の穴（４）を設ける、その穴に軟質樹脂製止め具（２）を底材の下から填め込み取り付ける。
本発明は以上のような構造である。
本発明を使用するときは、市販のほこり吸着シート（１）を床に置き、その中央に上記のスリッパを載せ、吸着シートの四隅を止め具（２）に指先で押し込み固定する。このスリッパを履いて歩くことにより、床のほこりを吸着させる。
【発明の効果】
【０００７】イ．本発明を使用することにより無意識に床の清掃をしていることになる又、掃除機などを掛けるときに使用すれば清掃効率が良くなる。
ロ．ほこり吸着シートは、汚れたら簡単に取り替えられるので衛生的又、直接床に接している面しか汚れないので裏側も使えて経済的である。
ハ．本発明を使用するときは、片足ずつ横に滑らせるとほこりの吸着効率が良く適度な足の運動になる。
【図面の簡単な説明】
【図１】本発明の実施例を示す斜視図
【図２】本発明の構造を示す斜視図
【図３】止め具の斜視図
【図４】止め具の平面図
【図５】止め具の断面図
【図６】本発明の実施例を示す断面図
【符号の説明】
１  市販のほこり吸着シート
２  止め具
３  スリッパの底材
４  穴
【図１】
2005144111.tif 000003
【図２】
2005144111.tif 000004
【図３】
2005144111.tif 000005
【図４】
2005144111.tif 000006
【図５】
2005144111.tif 000007
【図６】
2005144111.tif 000008
(57)【要約】【課題】圧力容器の粉末回収には、粉末が固まるなど容易に回収できずに圧力容器内に残るなど問題があった。また微粒子の粉末は飛散し作業者に有害であり環境を汚染する問題もある。【解決手段】  圧力容器の粉末回収に圧縮空気を噴射送り圧力容器を加圧状態にし、その加圧状態を一気に開放することで空気と共に粉末を回収する。この加圧、開放を数回繰り返す事で粉末の回収をより完全なものとする。【選択図】  図１
2005144117.tif 000002
【特許請求の範囲】
【請求項１】
密閉した圧力容器内に、噴射孔付きの先の尖った噴射ノズルを持った噴射管を内蔵した二重構造の吸気管を挿入し、噴射孔より粉末中に圧縮空気を噴射し、粉末が圧力容器内に拡散充満し加圧状態になった時、その加圧された圧力容器の内容積より十分な大きさの内容積を持った粉末回収タンクに圧力を開放する。なお、粉末回収タンクには残圧を逃がすためのエアーフィルターが設けられている。加圧された圧力容器内の圧力を粉末回収タンクに一気に開放する事で、空気と共に粉末を回収することを特徴とする粉末回収装置。
【発明の詳細な説明】
【技術分野】
【０００１】  本発明は、圧力容器内の粉末の回収に関するものである。
【背景技術】
【０００２】  図２  に示すように圧力容器内の粉末を回収する場合、集塵機等で吸引回収している。
【発明の開示】
【発明が解決しようとする課題】
【０００３】  圧力容器、例えば消火器本体内の粉末を集塵機等で吸引し回収しているが、従来の吸引では容易に吸引できず圧力容器内に残るなど問題があった。また、微粒子の粉末は飛散し作業者等に有害であり、環境を汚染する場合がある。
【課題を解決するための手段】
【０００４】  圧力容器に吸気管挿入口を有する蓋で密閉し、噴射孔付きの先の尖った噴射ノズルを持った噴射管を内蔵した二重構造の吸気管を挿入し、粉末中に圧縮空気を噴射する。その時、吸気管と粉末回収タンクの間のバルブは閉じている。粉末が圧力容器内に拡散充満し加圧状態になった時、吸気管のバルブを開き粉末回収タンクにその圧力をを一気に開放し、空気と共に粉末を回収する。この加圧、開放を数回繰り返す事により、粉末の回収をより完全なものとする。
【発明の効果】
【０００５】  以上説明のように、本発明の粉末回収装置は、圧力容器内の粉末を回収する場合において粉末が外部に飛散しないので、作業者に害を与えない。また、一般的に工場内にあるコンプレッサーを利用して粉末を回収するので、集塵機等を必要としない。
【発明を実施するための最良の形態】
【０００６】本発明の実施の形態について図面１を参照しつつ説明する。
【実施例】
【０００７】  図１は、本発明の粉末回収装置の実施の形態を示す説明図である。
粉末の飛散を防ぐため圧力容器１に、パッキンの付いた蓋１０をして密封する。蓋１０には吸気管７を挿入するための挿入口１０ａを開けておく。吸気管７を挿入した時、吸気管７と蓋１０の挿入口１０ａとの隙間から圧縮空気及び粉末がもれないようにシール１０ｂをしておく。蓋１０は圧力容器１内を加圧（噴射）した時、蓋１０のパッキン面と圧力容器１の開口面との間に隙間ができないように充分な力で押えておく。また、噴射管８の先端に噴射孔９ａのついた先の尖った噴射ノズル９を備えている。その噴射管８は吸気管７に内蔵され二重構造となっている。吸気管７の内径と噴射管８の外径との間は充分な隙間がある。噴射管８を内蔵した吸気管７を蓋１０の挿入口１０ａより圧力容器１の粉末２の中に挿入し、圧縮空気を噴射ノズルより噴射する。粉末２が圧力容器１内に拡散充満し加圧状態になった時、吸気管７の吸気バルブ６を開き粉末回収タンク４にその圧力を開放し、空気と共に粉末２を回収する。また、必要に応じ回収した粉末１１を随時補助バルブ１２を開き補助タンク１３に回収する。
【産業上の利用可能性】
【０００８】  粉末が固まり回収が困難な粉末が入っている圧力容器例えば、消火器などの圧力容器内の粉末回収には圧縮空気を噴射する事で粉末が粉砕し、さらに微粒子が外部に出る事が無いので特に有効である。
【図面の簡単な説明】
【図１】  本発明の粉末回収装置を示す正面図である
【図２】  従来の粉末回収装置である
【符号の説明】
１  圧力容器
２  粉末
３  コンプレッサー
４  粉末回収タンク
４ａ  エアーフィルター
５  噴射バルブ
６  吸気バルブ
７  吸気管
８  噴射管
９  噴射ノズル
９ａ  噴射孔
１０  蓋
１０ａ  挿入口
１０ｂ  シール
１１  回収した粉末
１２  補助バルブ
１３  補助タンク
【図１】
2005144117.tif 000003
【図２】
2005144117.tif 000004
(57)【要約】【目的】キッチンのまな板を匂いや除菌という悩みから開放することを目的としたまな板用専用ペーパーの提供【構成】上質紙、或いは油紙等の水を通さない紙の片面にはシリコン加工等を施した紙（Ａ）、裏側の片面には粘着加工を施した（Ｂ）まな板用サポートペーパー。【選択図】図１
2005144121.tif 000002
【特許請求の範囲】
油紙等にシリコン加工のペーパー（Ａ）の裏面には粘着面（Ｂ）を施したまな板用ペーパー。
【発明の詳細な説明】
【発明の詳細な説明】
【技術分野】
【０００１】この考案はキッチンで使うまな板にセットして使う台所雑貨に関する商品である。
【発明の詳細な説明】
【０００２】この考案は魚や肉、或いは生鮮野菜とすべてを調理するまな板の匂いや衛生面の悩みを解決するまな板専用粘着加工ペーパーである。
【背景技術】
【０００３】従来、こういった商品は無く、薄めのまな板を上で取り替える、或いは除菌をするなどの工夫しかなされていなかった。
【課題を解決するための手段】
【０００４】この考案は、水を通さない上質紙、油紙等にシリコン加工しているクッキングペーパー類（Ａ）の裏片面（Ｂ）に粘着加工を施し、サランラップのように巻いておき、必要な量だけ切り取って使えるまな板用ペーパーの提供である。
【作用】
【０００５】この片面粘着加工のまな板ペーパーはまな板の上に粘着加工面を貼り付け、その裏側で調理でき、魚等の料理の後も匂いの心配は全くなく、まな板に張ってある紙を捨てるだけで全て解決できる。又、粘着することで包丁など使っても動くことがなく、端がめくれる心配もないので、粉など使う時もとても便利で、少しの汚れは布巾で拭くことも出来る。除菌の心配もない。
【実施例】
【０００６】図１のようにロール状に巻き上げた耐水の上質紙、或いはクッキングペーパーのように油紙等に表はシリコン加工し、裏面に粘着加工をした、まな板に貼って使うペーパーである。
【発明の効果】
【０００７】この考案は前記のような構造になっており、調理の際に魚や肉の匂い、或いは血や内臓などが付着しても、ペーパーの上だけが汚れているのでそれを捨てるだけで後が楽に片付けられる。又、裏面はまな板に接着しているので、包丁使いの面からも危険性はない。
【図面の簡単な説明】
【図１】斜視図
【符号の説明】
Ａ・・・表面
Ｂ・・・裏、接着面
【図１】
2005144121.tif 000003
(57)【要約】【課題】  血液透析の返血時、穿刺針を抜く時血液の飛散がある、また、スタッフが２名で返血している場合もある、そして、施設によっては、患者の手をかりて行っている所もある。一番の課題は、血液の飛散を防いで院内感染を防がなければならない。【解決手段】  切り込み穴動脈側穿刺針挿入部１に挿入し両面テープ６に貼りつけろことで一時的に固定ができ、スタッフ１名で安全に且つ血液の飛散を防ぐ事が出来る、また、静脈側穿刺針を抜いた時ただちに箱状になった所に挿入し両面テープ７で固定する。【選択図】  図４2005144122.tif 000003
2005144122.tif 000002
【特許請求の範囲】
【請求項１】
血液透析終了時に使用するものである、血液の飛散及び患者の負担そしてスタッフの人員の軽減をはかるものである。
【発明の詳細な説明】
【発明の詳細な説明】
【技術分野】
【０００１】    本発明は、新しい発想の発明である、厚紙と両面テープで出来ているものである。血液透析を施行する場合、動脈側・静脈側と２本の穿刺針をさして行われます、終了時動脈側より抜針します。その時、抜いた穿刺針を患者に持っていただきますが、本発明を使用することにより患者の手を借りる事がいらない。また、スタッフ２名で返血している場合は、本発明を使用すると、１名ですみます。また、血液の飛散を防止できる。次ぎに、静脈側を抜いた穿刺針を本発明で使用することで、より安全に血液の飛散を防止できる、院内感染防止に無くてはならないものである。
【背景技術】
【０００２】  従来、このような考えのものはなかった、本発明は血液透析における院内感染に対して活気的な発明である、また、スタッフ１名で安全に返血ができる。
【発明を実施するための最良の形態】
【０００３】  本発明は、血液透析返血施行時に施行するものである。それを図面について説明すれば、両面テープ５を患者使用のシーツに貼りつける、そして、図３のように厚紙を固定紙２で利用して組み立てる。厚紙１の部分に、動脈側の針を先端から挿入する、そして、針の一部を両面テープ６に貼りつけ穿刺針を固定する。さらに、静脈側で抜いた穿刺針を、ただちに箱状になったところに挿入し両面テープ７で回路についている穿刺針を固定する。なお、穴４については消毒用綿棒をさして使用することもできる。
【発明の効果】
【００００４】  本発明を、使用することで患者の手を煩わす事がない、また、スタッフが１名で返血が出来る、それ以上に血液汚染・飛散を防ぐため、本発明を使用することで院内感染を防ぐことができる。
【図面の簡単な説明】
【図１】      組み立て前の図（表面）
【図２】      組み立て前の図（裏面）
【図３】      組み立て図（出来あがり図）
【図４】      本発明使用図
【符号の説明】
１  動脈側穿刺針の挿入部
２  本発明の組み立て時の止め部
３  静脈側穿刺針の止め部
４  綿棒挿入部
５  両面テープ
６  両面テープ
７  両面テープ
【図１】
2005144122.tif 000004
【図２】
2005144122.tif 000005
【図３】
2005144122.tif 000006
【図４】
2005144122.tif 000007